(57)【要約】【課題】予定情報と伝言情報とを見比べる際のユーザの利便性を高めることのできる表示システムを提供する。【解決手段】本発明に係る情報共有システム１０は、サーバ装置１００と、表示部２０１を備える通信端末装置２００と、を備え、通信端末装置２００は、サーバ装置１００から供給される伝言情報および予定情報をそれぞれ一つの時系列に沿って表示部２０１に表示する制御部２０２であって、伝言情報を表示部２０１の一端に寄せて表示し、予定情報を表示部２０１の他端に寄せて表示する制御部２０２を備えている。【選択図】図１
2014038375.tif 000002
【特許請求の範囲】
【請求項１】
表示部を備える通信端末装置と、
伝言情報および予定情報を上記通信端末装置に供給するサーバ装置と、を備えた表示システムであって、
上記通信端末装置は、上記伝言情報および上記予定情報をそれぞれ一つの時系列に沿って上記表示部に表示する表示手段であって、上記伝言情報を上記表示部の一端に寄せて表示し、上記予定情報を上記一端とは異なる上記表示部の他端に寄せて表示する表示手段を備えている、
ことを特徴とする表示システム。
【請求項２】
上記表示手段は、さらに、上記一つの時系列上に現在時刻を表示する、
ことを特徴とする請求項１に記載の表示システム。
【請求項３】
上記表示手段は、上記現在時刻を、上記表示部の何れの端にも寄せることなく表示する、
ことを特徴とする請求項２に記載の表示システム。
【請求項４】
上記表示手段は、上記伝言情報および上記予定情報を、アイコンを含むことなく表示する、
ことを特徴とする請求項１から３の何れか１項に記載の表示システム。
【請求項５】
上記表示手段は、さらに、上記伝言情報を示すアイコンを、上記伝言情報と共に上記表示部の一端に寄せて表示し、上記予定情報を示すアイコンを、上記予定情報と共に上記表示部の他端に寄せて表示する、
ことを特徴とする請求項１から３の何れか１項に記載の表示システム。
【請求項６】
上記サーバ装置は、さらに、広告情報を上記通信端末装置に供給し、
上記表示手段は、さらに、上記広告情報を、上記一つの時系列に沿って、上記表示部の何れの端にも寄せることなく表示する、
ことを特徴とする請求項１から５の何れか１項に記載の表示システム。
【請求項７】
伝言情報および予定情報をそれぞれ一つの時系列に沿って表示可能な表示データを生成する生成手段であって、上記伝言情報を上記一つの時系列に沿った一端に寄せて表示し、上記予定情報を上記一端とは異なる上記一つの時系列に沿った他端に寄せて表示可能な表示データを生成する生成手段と、
上記表示データを送信する送信手段と、を備えている、
ことを特徴とするサーバ装置。
【請求項８】
表示部と、
伝言情報および予定情報をそれぞれ一つの時系列に沿って上記表示部に表示する表示手段であって、上記伝言情報を上記表示部の一端に寄せて表示し、上記予定情報を上記一端とは異なる上記表示部の他端に寄せて表示する表示手段と、備えている、
ことを特徴とする通信端末装置。
【請求項９】
伝言情報および予定情報を供給するサーバ装置の供給方法であって、
上記伝言情報および上記予定情報をそれぞれ一つの時系列に沿って表示可能な表示データを生成する生成ステップであって、上記伝言情報を上記時系列に沿った一端に寄せて表示し、上記予定情報を上記一端とは異なる上記時系列に沿った他端に寄せて表示可能な表示データを生成する生成ステップと、
上記生成ステップにおいて生成した上記表示データを送信する送信ステップと、を含んでいる、
ことを特徴とする供給方法。
【請求項１０】
表示部を備えた通信端末装置の表示方法であって、
伝言情報および予定情報をそれぞれ一つの時系列に沿って上記表示部に表示する表示ステップであって、上記伝言情報を上記表示部の一端に寄せて表示し、上記予定情報を上記一端とは異なる上記表示部の他端に寄せて表示する表示ステップを含んでいる、
ことを特徴とする表示方法。
【請求項１１】
コンピュータを請求項７に記載のサーバ装置として動作させるためのプログラムであって、上記コンピュータを上記サーバ装置の各手段として機能させるプログラム。
【請求項１２】
コンピュータを請求項８に記載の通信端末装置として動作させるためのプログラムであって、上記コンピュータを上記通信端末装置の各手段として機能させるプログラム。
【請求項１３】
請求項１１または１２に記載のプログラムを記録したコンピュータ読み取り可能な記録媒体。
【発明の詳細な説明】
【技術分野】
【０００１】
本発明は、表示システム、サーバ装置、通信端末装置、サーバ装置における供給方法、および、通信端末装置における表示方法に関するものである。また、サーバ装置および通信端末装置としてコンピュータを動作させるためのプログラム、及び、そのようなプログラムが記録された記録媒体に関するものである。
【背景技術】
【０００２】
従来、ユーザの予定を示す予定情報と、ユーザが他のユーザとの間で送受信を行ったメールなどのメッセージを示す伝言情報とを１つの画面に表示することはなかった。そのため、両者を見比べたい場合には、それぞれ別々に画面やウィンドウを表示させた上で、両者を交互に見比べなければならなかった。このように、予定情報と伝言情報とを見比べる場合に、ユーザの利便性が低いという問題があった。
【０００３】
このような問題に対して、例えば、下掲の特許文献１に記載の技術などが提案されている。
【０００４】
特許文献１には、種類の異なるコンテンツを同じ画面において一つの時系列上に表示する情報処理装置が開示されている。
【先行技術文献】
【特許文献】
【０００５】
【特許文献１】特開２００７−２９９２９６号公報（２００７年１１月１５日公開）
【発明の概要】
【発明が解決しようとする課題】
【０００６】
しかし、特許文献１に記載の情報処理装置において同じ画面に表示されるのは、予定情報および伝言情報を示すアイコンのみ、または、予定情報および伝言情報の内容を示すアウトラインとアイコンのみである。つまり、詳しい予定、またはメッセージの内容を確認したい場合には、アイコンまたはアウトラインが示す予定情報または伝言情報を、新たな画面（またはウィンドウ）として個別に表示させなければない。
【０００７】
したがって、予定情報と伝言情報とを見比べる場合に、依然としてユーザの利便性が低いという問題があった。
【０００８】
本発明は、上記の課題に鑑みてなされたものであり、その目的は、予定情報と伝言情報とを見比べる際のユーザの利便性を高めることのできる表示システムを提供することにある。
【課題を解決するための手段】
【０００９】
本発明の一態様に係る表示システムは、上記の課題を解決するために、表示部を備える通信端末装置と、伝言情報および予定情報を上記通信端末装置に供給するサーバ装置と、を備えた表示システムであって、上記通信端末装置は、上記伝言情報および上記予定情報をそれぞれ一つの時系列に沿って上記表示部に表示する表示手段であって、上記伝言情報を上記表示部の一端に寄せて表示し、上記予定情報を上記一端とは異なる上記表示部の他端に寄せて表示する表示手段を備えている、ことを特徴としている。
【００１０】
上記の構成によれば、上記表示システムは、上記通信端末装置の備える上記表示手段によって、上記伝言情報を上記一つの時系列に沿って、上記表示部の一端に寄せて表示し、上記予定情報を上記一つの時系列に沿って、上記表示部の他端に寄せて表示する。つまり、上記伝言情報と上記予定情報とは、上記表示部の異なる端に寄った状態で表示される。
【００１１】
これによって、上記表示システムは、上記伝言情報と上記予定情報とを、上記通信端末装置の備える上記表示部に、高い視認性を持たせた上で一つの時系列で表示することができる。したがって、ユーザは、表示されている情報が、上記表示部のどちらの端に寄っているかによって、上記伝言情報であるか上記予定情報であるかを容易に認識することができる。
【００１２】
なお、上記伝言情報は、例えば、上記通信端末装置を利用するユーザが他の通信端末装置を利用するユーザとの間で送受信を行ったメールなどのメッセージ（伝言）などを示している。また、上記予定情報は、例えば、上記通信端末装置を利用するユーザや、他の通信端末装置を利用するユーザのスケジュール（予定）などを示している。
【００１３】
また、本発明の一態様に係る表示システムにおいて、上記表示手段は、さらに、上記一つの時系列上に現在時刻を表示する、ことが好ましい。
【００１４】
上記の構成によれば、ユーザは、上記表示部に表示される予定情報の示す予定が、現在時刻よりも前の予定であるか、現在時刻よりも後の予定であるかを一目で認識することができる。
【００１５】
また、本発明の一態様に係る表示システムにおいて、上記表示手段は、上記現在時刻を、上記表示部の何れの端にも寄せることなく表示する、ことが好ましい。
【００１６】
上記の構成によれば、上記表示システムは、上記現在時刻を、上記伝言情報および上記予定情報の何れとも識別可能に表示することができる。これによって、ユーザは、上記現在時刻と、上記伝言情報および上記予定情報とを、容易に見分けることができる。
【００１７】
また、本発明の一態様に係る表示システムにおいて、上記表示手段は、上記伝言情報および上記予定情報を、アイコンを含むことなく表示する、ことが好ましい。
【００１８】
予定情報および伝言情報など、異なるカテゴリーのコンテンツについては、異なるフォルダで管理したり、異なるアプリケーションによってユーザに提供することが一般的である。これは、異なるカテゴリーのコンテンツを同一の時系列上に表示すると、ユーザが異なるカテゴリーのコンテンツを容易に見分けることができず、ユーザの混乱を招く可能性が高いためである。
【００１９】
また、異なるカテゴリーのコンテンツを同一の時系列上に表示する必要がある場合には、特許文献１に記載の技術のように、各カテゴリーまたは各コンテンツに合わせたアイコンを用いて表示しなければならなかった。これは、アイコンを用いなければ、ユーザが異なるカテゴリーのコンテンツを容易に見分けることができないためである。
【００２０】
これに対し、上記の構成によれば、上記通信端末装置は、上記伝言情報および上記予定情報を、上記一つの時系列に沿って、上記表示部の異なる端（一端および他端）に寄せた上で、上記アイコンを含むことなく表示している。すなわち、上記通信端末装置において、上記伝言情報と上記予定情報とは、上記表示部の異なった端に寄せられることによって、アイコンを含まなくとも容易に識別可能に表示されている。したがって、ユーザは、アイコンが含まれていなくとも、表示された情報が、上記表示部の何れの端に寄せられているかによって、上記伝言情報と上記予定情報とを容易に見分けることができる。
【００２１】
これによって、上記表示システムでは、上記伝言情報および上記予定情報を表示する際にアイコンを含むことなく表示しているため、表示画面のデザインがアイコンによって制限されることがない。また、上記通信端末装置においてアイコン画像を表示させる際に生じる処理の負荷を低減することができるため、上記通信端末装置における表示処理の速度を向上させることができる。
【００２２】
さらに、表示画面をシンプルにできるため、上記伝言情報および上記予定情報が低解像度で表示される場合、および、上記表示部が狭い場合などであっても、上記伝言情報と上記予定情報とを容易に見分けることのできる、高い視認性を確保することができる。
【００２３】
また、本発明の一態様に係る表示システムにおいて、上記表示手段は、さらに、上記伝言情報を示すアイコンを、上記伝言情報と共に上記表示部の一端に寄せて表示し、上記予定情報を示すアイコンを、上記予定情報と共に上記表示部の他端に寄せて表示する、ことが好ましい。
【００２４】
上記の構成によれば、上記表示部における、上記伝言情報を示すアイコンの表示位置を、上記伝言情報の寄せられる上記表示部の一端に統一し、上記予定情報を示すアイコンの表示位置を、上記予定情報の寄せられる上記表示部の他端に統一することができる。このように、上記伝言情報を示すアイコンおよび上記予定情報を示すアイコンの表示位置をそれぞれ統一することによって、上記伝言情報および上記予定情報の視認性をさらに高めることができる。
【００２５】
したがって、ユーザは、上記表示部に表示されているアイコンがどちらの端に寄っているかによって、上記表示部に表示されている情報が上記伝言情報であるか上記予定情報であるかをさらに容易に認識することができる。
【００２６】
また、本発明の一態様に係る表示システムにおいて、上記サーバ装置は、さらに、広告情報を上記通信端末装置に供給し、上記表示手段は、さらに、上記広告情報を、上記一つの時系列に沿って、上記表示部の何れの端にも寄せることなく表示する、ことが好ましい。
【００２７】
上記の構成によれば、上記表示システムは、上記通信端末装置に、上記広告情報を上記伝言情報および上記予定情報の何れとも識別可能に表示することができる。したがって、ユーザは、表示されている情報が、上記表示部の何れの端に寄っているか、および、何れの端にも寄っていないかを参照することで、上記伝言情報、上記予定情報および上記広告情報の何れであるかを容易に認識することができる。
【００２８】
なお、上記広告情報は、例えば、スーパーなどから送られる広告および宣伝などの情報を示している。
【００２９】
本発明の一態様に係るサーバ装置は、上記の課題を解決するために、伝言情報および予定情報をそれぞれ一つの時系列に沿って表示可能な表示データを生成する生成手段であって、上記伝言情報を上記一つの時系列に沿った一端に寄せて表示し、上記予定情報を上記一端とは異なる上記一つの時系列に沿った他端に寄せて表示可能な表示データを生成する生成手段と、上記表示データを送信する送信手段と、を備えている、ことを特徴としている。
【００３０】
上記の構成によれば、上記サーバ装置は、上記生成手段によって、上記伝言情報を上記一つの時系列に沿った一端に寄せて表示し、上記予定情報を上記一つの時系列に沿った他端に寄せて表示することのできる表示データを生成する。これにより、上記表示データを上記サーバ装置から取得した装置は、上記伝言情報と上記予定情報とを、当該装置の表示画面の異なる端に寄った状態で表示することができる。
【００３１】
これによって、上記サーバ装置は、上記伝言情報と上記予定情報とを一つの表示画面の同じ時系列上に高い視認性を持たせた上で表示することのできる表示データを提供することができる。したがって、ユーザは、上記表示データに基づいて表示される情報が表示画面の何れの端に寄っているかによって、上記伝言情報であるか上記予定情報であるかを容易に認識することができる。
【００３２】
本発明の一態様に係る通信端末装置は、上記の課題を解決するために、表示部と、伝言情報および予定情報をそれぞれ一つの時系列に沿って上記表示部に表示する表示手段であって、上記伝言情報を上記表示部の一端に寄せて表示し、上記予定情報を上記一端とは異なる上記表示部の他端に寄せて表示する表示手段と、備えている、ことを特徴としている。
【００３３】
上記の構成によれば、上記通信端末装置は、上記表示手段によって、上記伝言情報を上記一つの時系列に沿って、上記表示部の一端に寄せて表示し、上記予定情報を上記一つの時系列に沿って、上記表示部の他端に寄せて表示する。つまり、上記伝言情報と上記予定情報とは、上記表示部の異なる端に寄った状態で表示される。
【００３４】
これによって、上記通信端末装置は、上記伝言情報と上記予定情報とを、上記表示部の同じ時系列上に高い視認性を持たせた上で表示することができる。したがって、ユーザは、表示されている情報が、上記表示部の何れの端に寄っているかによって、上記伝言情報であるか上記予定情報であるかを容易に認識することができる。
【００３５】
本発明の一態様に係るサーバ装置の供給方法は、上記の課題を解決するために、伝言情報および予定情報を供給するサーバ装置の供給方法であって、上記伝言情報および上記予定情報をそれぞれ一つの時系列に沿って表示可能な表示データを生成する生成ステップであって、上記伝言情報を上記時系列に沿った一端に寄せて表示し、上記予定情報を上記一端とは異なる上記時系列に沿った他端に寄せて表示可能な表示データを生成する生成ステップと、上記生成ステップにおいて生成した上記表示データを送信する送信ステップと、を含んでいる、ことを特徴としている。
【００３６】
上記の構成によれば、上記供給方法は、上述したサーバ装置の奏する効果と同様の効果を奏する。
【００３７】
本発明の一態様に係る通信端末装置の表示方法は、上記の課題を解決するために、表示部を備えた通信端末装置の表示方法であって、伝言情報および予定情報をそれぞれ一つの時系列に沿って上記表示部に表示する表示ステップであって、上記伝言情報を上記表示部の一端に寄せて表示し、上記予定情報を上記一端とは異なる上記表示部の他端に寄せて表示する表示ステップを含んでいる、ことを特徴としている。
【００３８】
上記の構成によれば、上記表示方法は、上述した通信端末装置の奏する効果と同様の効果を奏する。
【００３９】
また、コンピュータを本発明の一態様に係るサーバ装置として動作させるためのプログラムであって、上記コンピュータを上記サーバ装置の各手段として機能させるプログラム、および、コンピュータを本発明の一態様に係る通信端末装置として動作させるためのプログラムであって、上記コンピュータを上記通信端末装置の各手段として機能させるプログラムも、本発明の範疇に含まれる。
【００４０】
さらに、それらのプログラムを記録したコンピュータ読み取り可能な記録媒体も、本発明の範疇に入る。
【００４１】
なお、ある着目した請求項に記載された構成と、その他の請求項に記載された構成との組み合わせが、その着目した請求項で引用された請求項に記載された構成との組み合わせのみに限られることはなく、本発明の目的を達成できる限り、その着目した請求項で引用されていない請求項に記載された構成との組み合わせが可能である。
【発明の効果】
【００４２】
本発明の一態様に係る表示システムは、上記の課題を解決するために、一又は複数の伝言情報および一又は複数の予定情報が格納されたサーバ装置と、表示部を備える通信端末装置と、を備えた表示システムであって、上記サーバ装置は、少なくとも一つの上記伝言情報および少なくとも一つの上記予定情報をそれぞれ一つの時系列に沿った異なる側に寄せて表示可能な表示データを生成する生成手段を備え、上記通信端末装置は、上記表示データに基づいて、上記少なくとも一つの伝言情報および上記少なくとも一つの予定情報をそれぞれ一つの時系列に沿った上記表示部の異なる端に寄せて表示する表示手段を備えている、ことを特徴としている。
【００４３】
これによって、上記表示システムは、上記伝言情報と上記予定情報とを、上記通信端末装置の備える上記表示部の同じ時系列上に高い視認性を持たせた上で表示することができる。したがって、ユーザは、表示されている情報が何れの端に寄っているかによって、上記伝言情報であるか上記予定情報であるかを容易に認識することができる。
【図面の簡単な説明】
【００４４】
【図１】本発明の一実施形態に係る情報共有システムの構成の概要を示すブロック図である。
【図２】伝言情報の有するデータ構造の一例を示す図である。
【図３】データ所有者情報に関連付けられている情報を示すデータ所有者情報テーブルの一例を示す図である。
【図４】予定情報の有するデータ構造の一例を示す図である。
【図５】広告情報の有するデータ構造の一例を示す図である。
【図６】本発明の一実施形態に係る通信端末装置の備える表示部において予定情報および伝言情報を一つの時系列上に表示した、表示画面の一例を示す図である。
【図７】本発明の一実施形態に係る通信端末装置の備える表示部において予定情報、伝言情報および広告情報を一つの時系列上に表示した、表示画面の一例を示す図である。
【図８】本発明の一実施形態に係る情報共有システムの備えるサーバ装置における表示データ生成処理の流れを示すフローチャートである。
【図９】本発明の一実施形態に係る情報共有システムの備えるサーバ装置における表示情報取得処理のうち、伝言・広告情報取得処理の流れを示すフローチャートである。
【図１０】本発明の一実施形態に係る情報共有システムの備えるサーバ装置における表示情報取得処理のうち、予定情報取得処理の流れを示すフローチャートである。
【図１１】本発明の一実施形態に係る情報共有システムの備えるサーバ装置における表示情報並び替え処理の流れを示すフローチャートである。
【図１２】本発明の一実施形態に係る情報共有システムの備えるサーバ装置における表示情報整理処理の流れを示すフローチャートである。
【図１３】本発明の一実施形態の一変形例に係る通信端末装置の備える表示部において予定情報および伝言情報を一つの時系列上に表示した、表示画面の一例を示す図である。
【図１４】本発明の一実施形態の一変形例に係る通信端末装置の備える表示部において予定情報、伝言情報、および広告情報を一つの時系列上に表示した、表示画面の一例を示す図である。
【図１５】本発明一実施形態の他の変形例に係る通信端末装置の表示部に表示される、広告情報を含む表示画面の一例を示す図である。
【発明を実施するための形態】
【００４５】
本発明に係る情報共有システム（表示システム）の一実施形態について、図１から図１２を参照して説明する。但し、この実施形態に記載されている構成は、特に特定的な記載がない限り、この発明の範囲をそれのみに限定する趣旨ではなく、単なる説明例に過ぎない。
【００４６】
〔情報共有システムの構成〕
本実施形態に係る情報共有システムについて、図１を参照して説明する。図１は、本実施形態に係る情報共有システム１０の構成の概要を示すブロック図である。
【００４７】
図１に示すように、情報共有システム１０は、サーバ装置１００、及び、通信端末装置２００を備えている。また、サーバ装置１００と通信端末装置２００とは、ネットワーク３００を介して通信可能に接続されている。
【００４８】
なお、図１では、通信端末装置２００を１つだけ図示しているが、以下では、情報共有システム１０に通信端末装置２００の他にも通信端末装置が設けられている構成を例に挙げて説明する。なお、本実施形態はこれに限定されるものではなく、情報共有システム１０に通信端末装置２００が１だけ設けられていてもよい。
【００４９】
〔サーバ装置の構成〕
まず、情報共有システム１０に備えられているサーバ装置１００について、図１を参照して説明する。図１に示すように、サーバ装置１００は、制御部１０１（生成手段）、通信部（送信手段）１０２、及び、記憶部１０３を備えている。
【００５０】
（制御部）
制御部１０１は、サーバ装置１００の備える各部を統括的に制御する。また、制御部１０１は、記憶部１０３に格納されている予定情報および伝言情報をそれぞれ一つの時系列に沿った異なる側に寄せて表示可能な表示データを生成する。具体的には、制御部１０１は、伝言情報および予定情報をそれぞれ一つの時系列に沿って表示可能な表示データであって、伝言情報を時系列に沿った一端に寄せて表示し、予定情報を一端とは異なる一つの時系列に沿った他端に寄せて表示可能な表示データを生成する。
【００５１】
ここで、予定情報は、例えば、通信端末装置２００を利用するユーザや、他の通信端末装置を利用するユーザのスケジュール（予定）などを示している。また、伝言情報は、例えば、通信端末装置２００を利用するユーザが他の通信端末装置を利用するユーザとの間で送受信を行ったメールなどのメッセージ（伝言）などを示している。なお、予定情報、伝言情報、および、表示データを生成する処理（表示データ生成処理）の詳細については、図面を変えて後述する。
【００５２】
（通信部）
通信部１０２は、ネットワーク３００を介して通信端末装置２００から表示データ生成指示を示す信号を受信する。また、通信部１０２は、制御部１０１からの指示に基づき、ネットワーク３００を介して通信端末装置２００に表示データ（すなわち、伝言情報および予定情報）を送信する。なお、表示データ生成指示の詳細については、後述する。
【００５３】
通信部１０２は、ネットワーク３００に対して無線接続されていてもよいし、有線接続されていてもよい。
【００５４】
（記憶部）
記憶部１０３は、図１に示すように、伝言情報を記憶する伝言情報記憶部１０３ａ、予定情報を記憶する予定情報記憶部１０３ｂ、及び、広告情報を記憶する広告情報記憶部１０３ｃを備えている。
【００５５】
広告情報は、例えば、スーパーなどから送られる広告および宣伝などの情報を示している。
【００５６】
〔データ構造〕
ここで、図２から図５を参照して、伝言情報記憶部１０３ａ、予定情報記憶部１０３ｂ、および、広告情報記憶部１０３ｃの各々に格納されている伝言情報、予定情報、および、広告情報について説明する。
【００５７】
図２は、伝言情報記憶部１０３ａに記憶されている伝言情報の有するデータ構造の一例を示す図である。図３は、データ所有者情報に関連付けられている情報を示すデータ所有者情報テーブルの一例を示す図である。図４は、予定情報記憶部１０３ｂに記憶されている予定情報の有するデータ構造の一例を示す図である。図５は、広告情報記憶部１０３ｃに記憶されている広告情報の有するデータ構造の一例を示す図である。
【００５８】
（伝言情報）
図２に示すように、伝言情報には、データ通し番号、データ所有者情報、基準日付、要素因子、および、データ内容がそれぞれ関連付けられている。
【００５９】
データ通し番号は、伝言情報が伝言情報記憶部１０３ａに格納された順番を示している。データ所有者情報は、伝言情報記憶部１０３ａに格納された伝言情報を入力したユーザを示している。
【００６０】
また、データ所有者情報は、図３に示すように、データ所有者情報テーブルにおいて、所有者名、画像リンク、および、関連情報と関連付けられている。図３に示すように、データ所有者情報が「００１」である場合には、所有者名は「パパ」であり、「００２」である場合には、所有者名は「ママ」である。
【００６１】
画像リンクの示す画像は、例えば、伝言情報および予定情報などが通信端末装置２００に表示される際に、アイコンとして用いることができる。なお、図３に示すデータ所有者情報テーブルの一例では、関連情報には特に情報が登録されていないが、例えば、データ所有者の生年月日などが登録されていてもよい。
【００６２】
要素因子は、伝言情報記憶部１０３ａに格納されている情報の種類を示している。図２に示すように、伝言情報記憶部１０３ａに格納されている情報には、何れも、格納されている情報が伝言（メッセージ）であることを示す要素因子「１」が関連付けられている。
【００６３】
基準日付は、ユーザが伝言情報を入力した日付および時刻を示している。また、データ内容は、ユーザが入力した伝言の具体的な内容を示している。
【００６４】
（予定情報）
図４に示すように、予定情報には、データ通し番号、データ所有者情報、基準日付、周期因子、および、データ内容がそれぞれ関連付けられている。
【００６５】
データ通し番号は、予定情報が予定情報記憶部１０３ｂに格納された順番を示している。データ所有者情報は、予定情報記憶部１０３ｂに格納された予定情報を入力したユーザを示している。また、データ所有者情報は、図３に示すように、データ所有者情報テーブルにおいて、所有者名、画像リンク、および、関連情報と関連付けられている。
【００６６】
周期因子は、予定情報記憶部１０３ｂに格納されている情報の種類を示している。図４に示すように、予定情報記憶部１０３ｂに格納されている情報のうち、１回限りの予定を示す予定情報には、１回限りの予定であることを示す周期因子「２」が関連付けられている。また、毎週の予定を示す予定情報には、毎週の予定であることを示す周期因子「４」が関連付けられている。
【００６７】
以降では、予定情報のうち、毎週の予定である周期因子が関連付けられている予定情報を、繰返し予定情報とも呼称する。なお、繰返し予定情報は、毎週の予定に限られず、例えば、毎月の予定、毎年の予定、隔週の予定などであってもよい。
【００６８】
基準日付は、予定情報が１回限りの予定を示す情報である場合には、ユーザが入力した予定情報の示す予定が行われる日付および時刻を示している。また、基準日付は、予定情報が毎週の予定を示す情報である場合には、予定情報の示す予定が行われる日付を示している。データ内容は、ユーザが入力した予定の具体的な内容を示している。
【００６９】
（広告情報）
図５に示すように、広告情報には、データ通し番号、データ所有者情報、基準日付、要素・周期因子、および、データ内容がそれぞれ関連付けられている。
【００７０】
データ通し番号は、広告情報が広告情報記憶部１０３ｃに格納された順番を示している。データ所有者情報は、広告情報記憶部１０３ｃに格納された広告情報を入力したユーザを示している。また、データ所有者情報は、図３に示すように、データ所有者情報テーブルにおいて、所有者名、画像リンク、および、関連情報と関連付けられており、データ所有者情報が「００３」である場合には、所有者名は「○○青果店」である。
【００７１】
要素・周期因子は、広告情報記憶部１０３ｃに格納されている情報の種類を示している。図５に示すように、広告情報記憶部１０３ｃに格納されている情報のうち、１回限りの広告を示す情報には、１回限りの広告であることを示す要素因子「３」が関連付けられている。また、毎週の広告を示す情報には、毎週の広告であることを示す周期因子「４」が関連付けられている。
【００７２】
基準日付は、広告情報が１回限りの広告を示す広告情報である場合には、ユーザが広告入力した日付および時刻を示している。また、広告情報が毎週の広告を示す情報である場合には、基準日付は、その広告の内容が行われる日付を示している。データ内容は、ユーザが入力した広告の具体的な内容を示している。
【００７３】
なお、図４において予定情報が毎週の予定を示す情報である場合、および、図５において広告情報が毎週の広告を示す情報である場合には、基準日付が、その日付のみを示している構成を例に挙げて説明したが、これに限定されるものではない。予定情報が毎週の予定を示す情報である場合、および、広告情報が毎週の広告を示す情報である場合であっても、基準日付は、これらの情報が示す予定または広告が行われる日付および時刻を示していてもよい。
【００７４】
〔通信端末装置の構成〕
次に、情報共有システム１０に備えられている通信端末装置２００について、図１を参照して説明する。図１に示すように、通信端末装置２００は、表示部２０１、制御部（表示手段）２０２、及び、通信部２０３を備えている。
【００７５】
（表示部）
表示部２０１は、予定情報、伝言情報、および、広告情報などを表示する。
【００７６】
また、表示部２０１は、ユーザの入力操作を受け付けるユーザインターフェースなどを表示する。ユーザインターフェースとしては、例えば、予定情報を入力する予定情報入力画面であるユーザインターフェース、伝言情報を入力する伝言情報入力画面であるユーザインターフェースなどが挙げられるが、これに限定されるものではない。
【００７７】
（制御部）
制御部２０２は、通信端末装置２００の備える各部を統括的に制御する。また、制御部２０２は、表示部２０１にユーザインターフェースなどを表示させる。さらに、制御部２０２は、表示部２０１に表示されたユーザインターフェースに対するユーザの入力操作に従って、通信端末装置２００の各部を制御する。
【００７８】
また、制御部２０２は、複数の伝言情報および複数の予定情報を、それぞれ一つの時系列に沿った表示部２０１の異なる端に寄せて表示する。具体的には、制御部２０２は、伝言情報および予定情報をそれぞれ一つの時系列に沿って表示部２０１に表示する。このとき、制御部２０２は、伝言情報を表示部２０１の一端に寄せて表示し、予定情報を一端とは異なる表示部２０１の他端に寄せて表示する。
【００７９】
なお、伝言情報および予定情報の表示については、図面を変えて後述する。
【００８０】
（通信部）
通信部２０３は、制御部２０２からの指示に基づき、ネットワーク３００を介してサーバ装置１００に表示データ生成指示を示す信号を送信する。また、通信部２０３は、ネットワーク３００を介してサーバ装置１００から送信される表示データを受信する。
【００８１】
通信部２０３は、ネットワーク３００に対して無線接続されていてもよいし、有線接続されていてもよい。
【００８２】
〔表示画面〕
次に、通信端末装置２００の備える表示部２０１の表示画面の一例について、図６および図７を参照して説明する。図６は、本実施形態に係る通信端末装置２００の備える表示部２０１において予定情報および伝言情報を一つの時系列上に表示した、表示画面の一例を示す図である。図７は、本実施形態に係る通信端末装置２００の備える表示部２０１において予定情報、伝言情報、および広告情報を一つの時系列上に表示した、表示画面の一例を示す図である。
【００８３】
図６に示すように、表示部２０１における時系列方向は、当該表示部２０１の上側から下側に進む方向（ｙ軸負方向）である。また、図６に示すように、予定情報および伝言情報は、それぞれ表示部２０１の上側から下側に時系列順（つまり、時系列に沿って）に表示されている。
【００８４】
また、伝言情報は、表示部２０１の時系列に沿った一方の端（図６では、表示部２０１の左側（ｘ軸負方向））に寄せた状態で表示されている。一方、予定情報は、表示部２０１の時系列に沿った他の端（図６では、表示部２０１の右側（ｘ軸正方向））に寄せた状態で表示されている。なお、以降では、表示部２０１の左側に寄せた状態を、単に「左寄せ」とも記載し、表示部２０１の右側に寄せた状態を、単に「右寄せ」とも記載する。
【００８５】
この構成によれば、予定情報と伝言情報とが同じ画面上に表示されるため、予定情報と伝言情報とを見比べる際のユーザの利便性を高めることができる。例えば、ある伝言が、ある予定の予定時刻より前にやり取りされた伝言であるか、ある予定の予定時刻より後にやり取りされた伝言であるかを容易に認識することができる。
【００８６】
また、図７に示すように、通信端末装置２００の表示部２０１には、予定情報および伝言情報に加えて、さらに広告情報が表示されてもよい。
【００８７】
図７に示すように、伝言情報は表示部２０１に左寄せして表示され、予定情報は表示部２０１に右寄せして表示されている。また、広告情報は、表示部２０１において右寄せも左寄せもされておらず、時系列に沿った中央、つまり、表示部２０１のｘ軸方向の中央に表示されている。
【００８８】
また、図６および図７に示すように、伝言情報、予定情報および広告情報は、それぞれ、枠で囲まれた状態で、表示部２０１に表示されている。このように、伝言情報、予定情報および広告情報をそれぞれ枠で囲んで表示することにより、これらの情報が右寄せされているか、左寄せされているかを、ユーザが一目で認識することができるように表示することができる。
【００８９】
さらに、図６および図７において破線Ａに示すように、表示部２０１には、予定情報および伝言情報と同じ時系列上に、現在時刻が表示されている。これによって、表示部２０１に表示される予定情報の示す予定が、現在時刻よりも前の予定（すなわち、過去の予定）であるか、後の予定（すなわち、未来の予定）であるかを一目で認識することができる。
【００９０】
また、図６および図７に示すように、現在時刻は、表示部２０１の一つの時系列に沿った何れの端にも寄せることなく、時系列に沿った中央（つまり、表示部２０１のｘ軸方向の中央）に表示されている。
【００９１】
この構成によれば、通信端末装置２００は、現在時刻を、伝言情報および予定情報の何れとも識別可能に表示することができる。これによって、ユーザは、現在時刻と、伝言情報および予定情報とを、容易に見分けることができる。
【００９２】
なお、図６および図７に示す表示画面の一例では、予定情報および伝言情報を表示する際に、アイコンを含むことなく表示している。このように、通信端末装置２００は、予定情報および伝言情報の一方を左寄せして表示し、他方を右寄せして表示することにより、アイコンを含まなくとも識別可能に表示している。したがって、ユーザは、表示部２０１の何れの端に寄せられているかによって、伝言情報と予定情報とを容易に見分けることができる。
【００９３】
このように、情報共有システム１０では、伝言情報および予定情報を表示する際にアイコンを含むことなく表示しているため、表示画面のデザインがアイコンによって制限されることがない。また、アイコンの画像を表示させる際に、通信端末装置２００において生じる処理の負荷を低減することができるため、通信端末装置２００における表示処理の速度を向上させることができる。
【００９４】
さらに、表示画面をシンプルにすることができるため、伝言情報および予定情報が低解像度で表示される場合、および、表示部２０１が狭い場合などであっても、伝言情報と予定情報とを容易に見分けることのできる、高い視認性を確保することができる。
【００９５】
図６、７に示すように、表示部２０１に伝言情報および予定情報を同じ時系列上に表示することにより、伝言情報の示す伝言が、予定情報の示す予定の時刻よりも前に送受信されたものであるか、予定の時刻よりも後に送受信されたものであるかを容易に見分けることができる。
【００９６】
また、現在時刻を表示することにより、さらなる視認性の向上を実現している。具体的には、ユーザは、現在時刻の真上（図６および図７におけるｙ軸正方向側）に表示される伝言情報が、最も最近に送信または受信された伝言であることを、容易に認識することができる。また、ユーザは、現在時刻の真下（図６および図７におけるｙ軸負方向）に表示されている予定情報が、直近の予定であることを、容易に認識することができる。
【００９７】
〔表示処理〕
次に、本実施形態に係る情報共有システム１０における表示に関する処理について、図８から図１２を参照して説明する。
【００９８】
（表示データ生成処理）
まず、情報共有システム１０の備えるサーバ装置１００における表示データ生成処理について、図８を参照して説明する。図８は、本実施形態に係る情報共有システム１０の備えるサーバ装置１００における表示データ生成処理の流れを示すフローチャートである。
【００９９】
図８に示すように、本実施形態に係るサーバ装置１００は、まず、通信部１０２を介して通信端末装置２００から表示に関する要求を受信する（ステップＳ１０１）。ここで、表示に関する要求とは、通信端末装置２００の表示部２０１に表示に表示可能な表示データであって、予定情報および伝言情報をそれぞれ一つの時系列に沿った異なる側に寄せて表示可能な表示データの生成を指示する表示データ生成指示である。
【０１００】
通信端末装置２００から表示に関する要求を受信すると、サーバ装置１００の備える制御部１０１は、記憶部１０３から伝言情報、予定情報および広告情報を取得する表示情報取得処理を実行する（ステップＳ１０２）。以降では、伝言情報、予定情報および広告情報をまとめて、表示情報とも記載する。なお、図６に示すように、通信端末装置２００に伝言情報および予定情報のみを表示する場合には、表示情報には、伝言情報および予定情報のみが含まれれば良い。
【０１０１】
表示情報取得処理を実行すると、制御部１０１は、記憶部１０３から取得した表示情報を時系列（一つの時系列上）に並び替える表示情報並び替え処理を実行する（ステップＳ１０３）。
【０１０２】
表示情報並び替え処理を実行すると、制御部１０１は、表示情報整理処理を実行し（ステップＳ１０４）、表示データを生成する。なお、本実施形態では、表示情報整理処理において、伝言情報を一つの時系列に沿った左寄せを行い、予定情報を一つの時系列に沿った右寄せを行うことで表示データを生成する構成を例に挙げて説明するが、これに限定されるものではない。例えば、表示情報整理処理において、一つの時系列に沿って、伝言情報を右寄せし、予定情報を左寄せする構成を採用することもできる。
【０１０３】
表示データを生成すると、サーバ装置１００は、通信部１０２を介して通信端末装置２００に対し、生成した表示データを送信し（ステップＳ１０５）、表示データ生成処理を終了する。
【０１０４】
なお、表示情報取得処理、表示情報並び替え処理、および、表示情報整理処理の詳細については、図面を変えて以下に説明する。
【０１０５】
（表示情報取得処理）
表示情報取得処理について、図９および図１０を参照して説明する。図９は、本実施形態に係る情報共有システム１０の備えるサーバ装置１００における表示情報取得処理のうち、伝言・広告情報取得処理の流れを示すフローチャートである。図１０は、本実施形態に係る情報共有システム１０の備えるサーバ装置１００における表示情報取得処理のうち、予定情報取得処理の流れを示すフローチャートである。
【０１０６】
表示情報取得処理の実行を開始すると、サーバ装置１００の備える制御部１０１は、まず、図９に示すように、伝言情報記憶部１０３ａおよび広告情報記憶部１０３ｃから伝言情報および広告情報を取得する伝言・広告情報取得処理を実行する。
【０１０７】
制御部１０１は、まず、取得する表示情報の時系列上の範囲（以降、取得対象期間とも記載する）を設定する（ステップＳ２０１）。現在時刻をＴ、取得対象期間の開始時刻をｔ１、終了時刻をｔ２とすると、取得対象期間は、（Ｔ−ｔ１）〜（Ｔ＋ｔ２）と表すことができる。
【０１０８】
なお、取得対象期間の開始時刻ｔ１および終了時刻ｔ２は、日付のみを設定してもよいし、時分まで設定してもよい。また、取得対象期間は、ユーザが通信端末装置２００を操作することによって設定してもよいし、サーバ装置１００の制御部１０１が自動で設定してもよい。
【０１０９】
抽出対象期間を設定すると、制御部１０１は、伝言情報記憶部１０３ａから、取得対象期間（Ｔ−ｔ１）〜（Ｔ＋ｔ２）内の伝言情報を取得する（ステップＳ２０２）。具体的には、制御部１０１は、伝言情報記憶部１０３ａに記憶されている伝言情報のうち、取得対象期間内の時刻が基準日付として関連付けられている伝言情報を、伝言情報記憶部１０３ａから抽出する。
【０１１０】
伝言情報を取得すると、制御部１０１は、広告情報記憶部１０３ｃから、取得対象期間（Ｔ−ｔ１）〜（Ｔ＋ｔ２）内の広告情報を取得する（ステップＳ２０３）。具体的には、制御部１０１は、広告情報記憶部１０３ｃに記憶されている広告情報のうち、取得対象期間内の時刻が基準日付として関連付けられている広告情報を、広告情報記憶部１０３ｃから抽出する。
【０１１１】
制御部１０１は、取得対象期間内の伝言情報および広告情報を取得すると、伝言・広告情報取得処理を終了する。
【０１１２】
伝言・広告情報取得処理が終了すると、制御部１０１は、次に、図１０に示すように、予定情報記憶部１０３ｂから予定情報を取得する予定情報取得処理を実行する。
【０１１３】
制御部１０１は、まず、予定情報記憶部１０３ｂから、予定情報のうち、現在時刻Ｔより前の繰返し予定情報であって最近の繰返し予定情報と、現在時刻Ｔより後の繰返し予定情報であって最近の繰返し予定情報とを、取得候補として抽出する（ステップＳ３０１）。つまり、制御部１０１は、予定情報記憶部１０３ｂから、現在時刻Ｔに最も近い基準日付が関連付けられている繰返し予定情報を取得候補として、現在時刻Ｔの前後から一つづつ抽出する。
【０１１４】
取得候補を抽出すると、制御部１０１は、抽出した取得候補、および、繰返し予定情報以外の予定情報から、取得対象期間（Ｔ−ｔ１）〜（Ｔ＋ｔ２）内の予定情報を取得する（ステップＳ３０２）。具体的には、予定情報記憶部１０３ｂに記憶されている予定情報および取得候補として抽出した繰返し予定情報のうち、取得対象期間内の時刻が基準日付として関連付けられている情報を、予定情報記憶部１０３ｂから抽出する。
【０１１５】
制御部１０１は、取得対象期間内の予定情報を取得すると、予定情報取得処理を終了する。
【０１１６】
なお、ここでは、伝言・広告情報取得処理を実行した後に予定情報取得処理を実行する場合を例に挙げて説明するが、これに限定されるものではない。例えば、予定情報取得処理を実行した後に伝言・広告情報取得処理を実行する構成を採用してもよい。この場合には、伝言・広告情報取得処理において行った取得対象期間の設定（ステップＳ２０１）を、予定情報取得処理において行えばよい。
【０１１７】
また、伝言・広告情報取得処理と予定情報取得処理とを並行して実行する構成を採用してもよい。この場合には、伝言・広告情報取得処理および予定情報取得処理を行う前に、取得対象期間を設定する処理（ステップＳ２０１）を実行すればよい。
【０１１８】
（表示情報並び替え処理）
次に、表示情報並び替え処理について、図１１を参照して説明する。図１１は、本実施形態に係る情報共有システム１０の備えるサーバ装置１００における表示情報並び替え処理の流れを示すフローチャートである。
【０１１９】
表示情報並び替え処理を開始すると、サーバ装置１００備える制御部１０１は、図１１に示すように、現在時刻Ｔを示す現在時刻情報Ｄｔを取得する（ステップＳ４０１）。
【０１２０】
現在時刻情報Ｄｔを取得すると、制御部１０１は、表示情報取得処理において取得した表示情報（伝言情報、予定情報および広告情報）と、現在時刻情報Ｄｔとを、時系列に並び替える（ステップＳ４０２）。
【０１２１】
具体的には、制御部１０１は、現在時刻情報Ｄｔの示す現在時刻Ｔよりも前（つまり、過去）の時刻の基準日付が関連付けられている表示情報を、現在時刻Ｔよりも上側（図６および図７におけるｙ軸正方向）に表示されるよう並び替える。制御部１０１は、基準日付と現在時刻Ｔとの差が大きい表示情報が、現在時刻Ｔからより離れた位置に表示されるよう並び替える。
【０１２２】
また、制御部１０１は、現在時刻情報Ｄｔの示す現在時刻Ｔよりも後（つまり、未来）の時刻の基準日付が関連付けられている表示情報を、現在時刻Ｔよりも下側（図６および図７におけるｙ軸負方向）に表示されるよう並び替える。制御部１０１は、基準日付と現在時刻Ｔとの差が大きい表示情報が、現在時刻Ｔからより離れた位置に表示されるよう並び替える。
【０１２３】
制御部１０１は、表示情報、および、現在時刻情報Ｄｔの並び替えが完了すると、表示情報並び替え処理を終了する。
【０１２４】
（表示情報整理処理）
次に、表示情報整理処理について、図１２を参照して説明する。図１２は、本実施形態に係る情報共有システム１０の備えるサーバ装置１００における表示情報整理処理の流れを示すフローチャートである。
【０１２５】
表示情報整理処理を開始すると、サーバ装置１００備える制御部１０１は、図１２に示すように、表示データの前段部分情報をテンポラリーファイルに出力する（ステップＳ５０１）。ここで、表示データの前段部分情報は、例えば、表示データを構成する前段部分の情報、および、ヘッダ情報などを含んでいる。
【０１２６】
また、テンポラリーファイルは、表示情報整理処理の各ステップにおいて出力される各情報を一時的に格納するファイルである。なお、ここでは、表示情報整理処理の各ステップにおいて情報がテンポラリーファイルに出力される構成を例に挙げて説明するが、本実施形態はこれに限定されるものではない。例えば、表示情報整理処理の各ステップにおいて、記憶部１０３に設けられた一時記憶部（不図示）に情報が出力される構成を採用してもよい。
【０１２７】
表示データの前段部分情報を出力すると、制御部１０１は、表示情報並び替え処理において並び替えた表示情報の前段部分情報をテンポラリーファイルに出力する（ステップＳ５０２）。ここで、表示情報の前段部分情報は、例えば、表示情報を囲う枠データが開始するという情報、表示情報の枠に関する情報、および、表示情報の枠に囲まれた領域の背景に関する情報などを含んでいる。
【０１２８】
表示情報の前段部分情報を出力すると、制御部１０１は、当該表示情報の示す情報が、伝言情報、予定情報、および、広告情報のうち、何れを示す情報であるかを判定する（ステップＳ５０３）。制御部１０１は、例えば、表示情報に関連付けられている要素因子（又は周期因子）に基づいて、ステップＳ５０３における判定を行えばよい。
【０１２９】
制御部１０１は、表示情報が伝言情報であると判定した場合（ステップＳ５０３において「伝言」）、伝言情報を左寄りに配置する（ステップＳ５０４ａ）。制御部１０１は、表示情報が予定情報であると判定した場合には（ステップＳ５０３において「予定」）、予定情報を右寄りに配置する（ステップＳ５０４ｂ）。また、制御部１０１は、表示情報が広告情報であると判定した場合には（ステップＳ５０３において「広告」）、広告情報を中央に配置する（ステップＳ５０４ｃ）。以降では、各表示情報を左寄り、右寄り、および、中央の何れかに配置することを、単に「配置位置を整理する」とも記載する。
【０１３０】
予定情報を右寄りに配置すると、制御部１０１は、配置した予定情報が、繰返し予定情報であるか否かを判定する（ステップＳ５０５）。なお、繰返し予定情報であるか否かの判定は、例えば、予定情報に関連付けられている周期因子に基づいて判定すればよい。
【０１３１】
予定情報が繰返し予定情報であると判定した場合（ステップＳ５０５においてＹＥＳ）、制御部１０１は、予定情報を囲む枠の中の右上に周期情報を配置する（ステップＳ５０６）。ここで、周期情報は、毎週の何曜日の予定であるかを示す情報を示している（例えば、図７において、繰返し予定情報である「燃えないゴミ」における「毎週月曜日」）。なお、周期情報はこれに限られるものではなく、例えば、毎月の何日の予定であるか、毎年の何月何日の予定であるかなどを示す情報であってもよい。
【０１３２】
伝言情報を左寄りに配置した場合、広告情報を中央に配置した場合、および、予定情報が繰返し予定情報でないと判定した場合（ステップＳ５０５においてＮＯ）、制御部１０１は、各情報を囲む枠の中の右上に日付情報を配置する（ステップＳ５０７）。なお、日付情報としては、各情報に関連付けられている基準日付を用いればよい。
【０１３３】
周期情報または日付情報を配置すると、制御部１０１は、表示情報の後段部分情報をテンポラリーファイルに出力する（ステップＳ５０８）。ここで、表示情報の後段部分情報は、例えば、当該表示情報が終了する旨を示す情報などを含んでいる。
【０１３４】
表示情報の後段部分情報を出力すると、制御部１０１は、表示情報並び替え処理において並び替えた全ての表示情報の配置位置を整理したか否かを判定する（ステップＳ５０９）。
【０１３５】
全ての表示情報の配置位置を整理していないと判定した場合（ステップＳ５０９においてＮＯ）、制御部１０１は、ステップＳ５０２からＳ５０８までの処理を実行する。つまり、制御部１０１は、全ての表示情報の配置位置を整理したと判定する（ステップＳ５０９においてＹＥＳ）まで、ステップＳ５０２からＳ５０８までの処理を繰り返す。
【０１３６】
全ての表示情報の配置位置を整理したと判定すると（ステップＳ５０９においてＹＥＳ）、制御部１０１は、表示データの後段部分情報をテンポラリーファイルに出力する（ステップＳ５１０）。ここで、表示情報の前段部分情報は、例えば、表示データ全体の最後を締める情報、および、フッタ情報などを含んでいる。
【０１３７】
表示データの後段部分情報を出力すると、制御部１０１は、テンポラリーファイルに出力された全ての情報を統合し、表示データを生成し（ステップＳ５１１）、表示情報整理処理を終了する。
【０１３８】
通信端末装置２００は、サーバ装置１００からネットワーク３００を介して送信される、上述の各処理によって生成された表示データを、通信部２０３によって受信する。
【０１３９】
表示データを受信すると、通信端末装置２００の備える制御部２０２は、受信した表示データに基づいて、表示部２０１に伝言情報および予定情報（場合によっては、さらに広告情報も）を表示する。
【０１４０】
上述の構成によれば、情報共有システム１０の備える通信端末装置２００を利用するユーザは、同じ情報共有システム１０の備える他の通信端末装置を利用するユーザとの間で、伝言情報および予定情報を共有することができる。
【０１４１】
なお、サーバ装置１００の備える制御部１０１において表示データを生成する構成を例に挙げて説明したが、本実施形態はこれに限定されるものではない。例えば、通信端末装置２００の備える制御部２０２において表示データを生成する構成を採用してもよい。
【０１４２】
この場合には、例えば、サーバ装置１００から伝言情報および予定情報を全て取得し、通信端末装置２００の備える制御部２０２によって表示情報取得処理、表示情報並び替え処理、および、表示情報整理処理を実行してもよい。
【０１４３】
また、サーバ装置１００と通信端末装置２００との協働によって表示データを生成する構成を採用してもよい。
【０１４４】
この場合には、例えば、サーバ装置１００の備える制御部１０１によって表示情報取得処理を実行し、通信端末装置２００の備える制御部２０２によって表示情報並び替え処理、および、表示情報整理処理を実行してもよい。また、サーバ装置１００の備える制御部１０１によって表示情報取得処理、および、表示情報並び替え処理を実行し、通信端末装置２００の備える制御部２０２によって表示情報整理処理を実行してもよい。
【０１４５】
＜変形例＞
上記では、アイコンを含むことなく伝言情報および予定情報を表示する場合を例に挙げて説明したが、本実施形態はこれに限定されるものではない。例えば、伝言情報を示すアイコンおよび予定情報を示すアイコンを、伝言情報および予定情報と共に、表示部２０１の異なる端に寄せて表示する構成を採用してもよい。本実施形態の変形例に係る情報共有システムについて、以下に説明する。
【０１４６】
アイコンを含んで伝言情報および予定情報を表示する場合の、通信端末装置２００の備える表示部２０１の表示画面の一例について、図１３および図１４を参照して説明する。図１３は、本変形例に係る通信端末装置２００の備える表示部２０１において予定情報および伝言情報を一つの時系列上に表示した、表示画面の一例を示す図である。図１４は、本変形例に係る通信端末装置２００の備える表示部２０１において予定情報、伝言情報、および広告情報を一つの時系列上に表示した、表示画面の一例を示す図である。
【０１４７】
図１３に示すように、伝言情報は、当該伝言情報を示すアイコンと共に、表示部２０１の時系列に沿った一方の端（図１３では、表示部２０１の左側）に寄せた状態で表示されている。一方、予定情報は、当該予定情報を示すアイコンと共に、表示部２０１の時系列に沿った他の端（図１３では、表示部２０１の右側）に寄せた状態で表示されている。
【０１４８】
また、図１３に示すように、伝言情報を示すアイコンは、左寄せされている伝言情報を囲む枠の中でさらに左寄せされた状態で表示されている。また、予定情報を表すアイコンは、右寄せされている予定情報を囲む枠の中でさらに右寄せされた状態で表示されている。
【０１４９】
このように、本変形例では、左寄せされている伝言情報を示すアイコンを、伝言情報を表示する領域において最も左寄せして表示し、右寄せされている予定情報を示すアイコンを、予定情報を表示する領域において最も右寄せして表示する。これによって、表示部２０１における、伝言情報を示すアイコンの表示位置を左端に統一し、予定情報を示すアイコンの表示位置を右端に統一することができる。
【０１５０】
このように、表示位置の統一されたアイコンを含んで表示することによって、伝言情報と予定情報との視認性をさらに高めることができる。したがって、ユーザは、表示されているアイコンが表示部２０１のどちらの端に寄っているかによって、表示されている情報が上記伝言情報であるか上記予定情報であるかを容易に認識することができる。
【０１５１】
また、図１４に示すように、通信端末装置２００の表示部２０１には、予定情報および伝言情報に加えて、広告情報がさらに表示されてもよい。このとき、広告情報は、図１４に示すように、当該広告情報を示すアイコンと共に、表示部２０１の時系列に沿った中央に表示されている。
【０１５２】
なお、図１４では、広告情報を示すアイコンが広告情報を囲む枠の中で左寄せされている場合を表示画面の一例として示しているが、本変形例はこれに限定されるものではない。例えば、広告情報を示すアイコンが広告情報を囲む枠の中で右寄せされている構成を採用してもよい。さらに、広告情報を囲む枠の中で、１回限りの広告を示す広告情報を示すアイコンが左寄せされ、毎週の広告を示す広告情報を示すアイコンが右寄せされている構成を採用してもよい。
【０１５３】
また、図１３および図１４において破線Ａに示すように、表示部２０１には、予定情報および伝言情報と同じ時系列上に、現在時刻が表示されている。これによって、表示部２０１に表示される予定情報の示す予定が、現在時刻よりも前の予定（すなわち、過去の予定）であるか、後の予定（すなわち、未来の予定）であるかを一目で認識することができる。
【０１５４】
さらに、図１３および図１４に示すように、現在時刻は、表示部２０１の一つの時系列に沿った何れの端にも寄せることなく、時系列に沿った中央に表示されている。
【０１５５】
この構成によれば、通信端末装置２００は、現在時刻を、伝言情報および予定情報の何れとも識別可能に表示することができる。これによって、ユーザは、現在時刻と、伝言情報および予定情報とを、容易に見分けることができる。
【０１５６】
〔表示処理〕
次に、伝言情報および予定情報と共にアイコンを表示することが可能な表示データの生成処理（表示データ生成処理）について説明する。なお、説明の便宜上、上述の実施形態における処理との相違点について説明し、同様の処理についてはその説明を省略する。
【０１５７】
（表示情報取得処理）
まず、表示データ生成処理に含まれる表示情報取得処理における伝言・広告情報取得処理、および、予定情報取得処理について説明する。
【０１５８】
サーバ装置１００の備える制御部１０１は、図９に示すステップＳ２０２において伝言情報を取得する際に、図３に示すデータ所有者情報テーブルにおいて取得する伝言情報のデータ所有者情報と関連付けられている画像リンクの示す画像を合わせて取得する。また、制御部１０１は、図９に示すステップＳ２０３において広告情報を取得する際に、データ所有者情報テーブルにおいて取得する広告情報のデータ所有者情報と関連付けられている画像リンクの示す画像を合わせて取得する。
【０１５９】
次に、制御部１０１は、図１０に示すステップＳ３０２において予定情報を取得する際に、データ所有者情報テーブルにおいて取得する予定情報のデータ所有者情報と関連付けられている画像リンクの示す画像を合わせて取得する。
【０１６０】
表示情報取得処理においては、制御部１０１は、各処理において、伝言情報、広告情報および予定情報のそれぞれと対応する画像を取得する。
【０１６１】
（表示情報整理処理）
次に、表示データ生成処理に含まれる表示情報整理処理について説明する。
【０１６２】
制御部１０１は、表示情報が伝言情報であると判定した場合（ステップＳ５０３において「伝言」）、伝言情報を左寄りに配置した後（ステップＳ５０４ａ）、当該伝言情報に対応する画像を、伝言情報のさらに左側に配置する。また、制御部１０１は、表示情報が予定情報であると判定した場合（ステップＳ５０３において「予定」）、予定情報を右寄りに配置した後（ステップＳ５０４ｂ）、当該予定情報に対応する画像を、予定情報のさらに右側に配置する。
【０１６３】
さらに、制御部１０１は、表示情報が広告情報であると判定した場合（ステップＳ５０３において「広告」）、広告情報を中央に配置した後（ステップＳ５０４ｃ）、当該広告情報に対応する画像を、広告情報の左側に配置する。なお、広告情報に対応するアイコンの配置位置はこれに限定されるものではなく、例えば、広告情報の右側に配置してもよい。
【０１６４】
表示情報整理処理においては、制御部１０１は、伝言情報および予定情報などの配置位置の整理と合わせて、対応するアイコンの配置位置の整理を実行する。
【０１６５】
このように、サーバ装置１００の制御部１０１は、表示情報取得処理および表示情報整理処において、上述の処理をさらに実行することにより、通信端末装置２００においてアイコンをさらに表示可能な表示データを生成することができる。
【０１６６】
なお、アイコンをさらに表示可能な表示データを、サーバ装置１００の備える制御部１０１によって生成する構成を例に挙げて説明したが、本変形例はこれに限定されるものではない。例えば、アイコンをさらに表示可能な表示データを、通信端末装置２００の備える制御部２０２によって生成する構成を採用してもよい。
【０１６７】
この場合には、例えば、上述した表示情報整理処理における更なる処理を、通信端末装置２００の備える制御部２０２において実行することによって、アイコンをさらに表示可能な表示データを生成すればよい。
【０１６８】
また、図７および図１４に示す表示画面の一例では、広告情報が表示部２０１の何れの端にも寄らずに表示されている場合について説明したが、広告情報を含む表示画面はこれに限定されるものではない。
【０１６９】
例えば、図１５に示すように、広告情報が表示部２０１の時系列に沿った両端に届くように表示される構成を採用してもよい。図１５は、本変形例に係る通信端末装置２００の表示部２０１に表示される、広告情報を含む表示画面の一例を示す図である。
【０１７０】
〔プログラム、記録媒体〕
サーバ装置１００の制御部１０１、および、通信端末装置２００の制御部２０２は、集積回路（ＩＣチップ）上に形成された論理回路によってハードウェア的に実現してもよいし、ＣＰＵ（Central Processing Unit）を用いてソフトウェア的に実現してもよい。
【０１７１】
後者の場合、制御部１０１および制御部２０２は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである制御部１０１および制御部２０２の制御プログラムのプログラムコード（実行形式プログラム、中間コードプログラム、ソースプログラム）をコンピュータで読み取り可能に記録した記録媒体を、制御部１０１および制御部２０２に供給し、そのコンピュータ（またはＣＰＵやＭＰＵ）が記録媒体に記録されているプログラムコードを読み出し実行することによっても、達成可能である。
【０１７２】
上記記録媒体としては、例えば、ハードディスク等の磁気ディスクやＣＤ−ＲＯＭ／ＣＤ−Ｒ／ＣＤ−ＲＷ／ＭＯ／ＤＶＤ−ＲＯＭ／ＤＶＤ−Ｒ／ＤＶＤ−ＲＷ／Ｂｌｕ−ｒａｙディスク（ＢＤ）−ＲＯＭ／ＢＤ−Ｒ／ＢＤ−ＲＥ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュメモリ等の半導体メモリ類などを用いることができる。
【０１７３】
また、上記プログラムコードは、通信ネットワークを介して制御部１０１および制御部２０２に供給してもよい。この通信ネットワークは、プログラムコードを伝送可能であればよく、特に限定されない。例えば、インターネット、ＬＡＮ、ＣＡＴＶ通信網、電話回線網、移動体通信網等が利用可能である。また、この通信ネットワークを構成する伝送媒体も、特定の構成または種類のものに限定されない。例えば、電話線、ＬＡＮケーブル、ケーブルＴＶ回線等のメタルケーブルや、ＦＴＴＨ等の光ファイバを利用した有線でも、携帯電話回線、ＷＬＡＮ等の電波、ＩｒＤＡやリモコンのような赤外線などを利用した無線でも利用可能である。
【０１７４】
本発明は上述した実施形態および変形例に限定されるものではなく、請求項に示した範囲で種々の変更が可能であり、上記実施形態にそれぞれ開示された技術的手段を適宜組み合わせて得られる他の実施形態についても本発明の技術的範囲に含まれる。
【産業上の利用可能性】
【０１７５】
本発明は、サーバ装置に格納された情報をスマートフォン、携帯電話、タブレット型ＰＣなどの通信端末装置に表示することのできる表示システムに好適に利用することができる。また、本発明は、メッセージボード、掲示板、ＳＮＳ（Social Networking Service）など、複数のユーザの間で情報共有を行うサービスにも好適に利用することができる。
【符号の説明】
【０１７６】
１０        情報共有システム（表示システム）
１００      サーバ装置
１０１      制御部（生成手段）
１０２      通信部（送信手段）
１０３      記憶部
２００      通信端末装置
２０１      表示部
２０２      制御部（表示手段）
２０３      通信部
３００      ネットワーク
【図１】
2014038375.tif 000003
【図２】
2014038375.tif 000004
【図３】
2014038375.tif 000005
【図４】
2014038375.tif 000006
【図５】
2014038375.tif 000007
【図６】
2014038375.tif 000008
【図７】
2014038375.tif 000009
【図８】
2014038375.tif 000010
【図９】
2014038375.tif 000011
【図１０】
2014038375.tif 000012
【図１１】
2014038375.tif 000013
【図１２】
2014038375.tif 000014
【図１３】
2014038375.tif 000015
【図１４】
2014038375.tif 000016
【図１５】
2014038375.tif 000017